Podtech/llm-jp-corpus-v4-ja_patent huggingface dataset:
(57)【要約】【課題】  買い物用にバッグを持参することなく、使用中のバッグのポケットから取り出せるようにした大小二つを一体にした手提げバッグを提供する。【解決手段】  本体となる小さい手提げバッグと大きい手提げ袋を部分縫製し、ポケットに折り畳んで収納できるようにしたことを特徴とする大小二つを一体にした手提げバッグ【選択図】図１
2009261877.tif 000002
【特許請求の範囲】
【請求項１】
大小二つの袋体の開口部上端を背中合わせに部分縫合し、縫合した箇所の小さい袋体の同一面外側に収納ポケットを付けたことを特徴とする大小二つを一体にした手提げバッグ。
【発明の詳細な説明】
【技術分野】
【０００１】    本発明は、必要に応じて大きい手提げ袋を取り出して使用できることを目的にした大小二つを一体にした手提げバッグに関するものである。
【背景技術】
【０００２】  小さく折りたたむ単体としての手提げ袋・バッグはあった。
【発明の開示】
【発明が解決しようとする課題】
【０００３】  そのために、次のような問題点があった。
（イ）買い物のたびに持参し、携帯する必要があるため持ち忘れや紛失等による不便があった。
本発明は、これらの問題点を解決するためになされたものである。
【課題を解決するための手段】
【０００４】  二つの持ち手を有する小さい方の手提げバッグの持ち手周辺部分と一つの持ち手を有する別の大きい袋体の開口部先端を背中合わせに持ち手周辺部を部分縫合し、小さい手提げバッグの縫合と同一面外側にポケットをつけ大きい袋体を収納できるようにする。以上を特徴とする大小二つを一体にした手提げバッグ。
【発明の効果】
【０００５】  セカンドバックとして持ち歩く小さい手提げバッグのポケットに大きな手提げ袋を小さく畳んで収納できるようにしたことで、買い物用のエコバックをわざわざ持参することがなくなり、しかも一体型なので紛失することがなくなる。
買い物だけでなく通勤・通学・通園時等に使用すると荷物が増えたときに取り出せて便利である。
又、大きい手提げ袋をリバーシブルになるように縫製することにより、小さい手提げバッグの持ち位置を変えられるので融通性が生まれる。
【発明を実施するための最良の形態】
【０００６】  以下、本発明の実施の形態について説明する。
（イ）手提げ持ち手（１ａ）と（１ｂ）の二つを有する小さい手提げバッグ（１）の開口  部先端持ち手のどちらか一方の付け根周辺に持ち手（２ａ）の一つを有する大きい手提  げ袋（２）の開口先端を部分縫合する。
（ロ）大きい手提げ袋（２）が縫合される部分は手提げ持ち手（２ａ）と対極の位置とす  る。
（ハ）小さい手提げバッグの縫合した部分と同一面外側に収納用のポケット（４）をつけ  、持ち手（２ａ）を有する大きい手提げ袋（２）を折り畳んで収納できるようにする。
本発明は以上のような構成で、セカンドバックとして通勤や通学、通園に持ち歩く本  体手提げバッグから必要に応じて買い物用の大きな手提げ袋が取り出すことが出来るよ  うにする。
又、図３ｂ、図３ｃに示すように大きい手提げ袋をリバーシブルになるように縫製することで小さい手提げ袋の位置が変えられる。
【図面の簡単な説明】
【０００７】
【図１】  本発明の斜視図
【図２】  本発明の分解斜視図
【図３ａ】  本発明の使用時の姿図その１
【図３ｂ】  本発明の使用時の姿図その２
【図３ｃ】  本発明の使用時の姿図その３
【符号の説明】
【０００８】    １  小さい手提げバッグ
１ａ  持ち手
１ｂ  持ち手
２  大きい手提げ袋
２ａ  持ち手
３  縫合部
４  ポケット
【図１】
2009261877.tif 000003
【図２】
2009261877.tif 000004
【図３ａ】
2009261877.tif 000005
【図３ｂ】
2009261877.tif 000006
【図３ｃ】
2009261877.tif 000007
(57)【要約】【課題】最近は希少価値のたかい宝石までもが、ブレスレットやネックレスに加工されアクセサリーからジュエリーへと変化してきている。価格も目を疑うものもある。即ち装飾品から宝飾品へと変化してきたのだ。複数の連接された球状体からなる環状の宝飾装飾素材同士が接する箇所に緩衝素材を間入することにより衝撃による欠けや摩擦による傷つき、劣化を防止する。【解決手段】素材と素材の間に衝撃緩衝材を入れる。【選択図】図１
2009261873.tif 000002
【特許請求の範囲】
【請求項１】
ネックレス、ブレスレットまたは、数珠（念珠）に代表される環状の装身具および装飾品において球状装飾体に挿通孔が穿設され、該挿通穿に紐状体が通されることで、複数の球状装飾体が連設されてなる環状の形状とし、宝飾装飾素材同士が接する箇所に緩衝素材を間入することにより衝撃による欠けや摩擦による傷つき、劣化を防止する方法
【請求項２】
「請求項１」による問題解決は塩化ビニールなどの合成樹脂が最適とされているが、金などの軟らかい金属なども宝飾的によく、また皮革、合成繊維、など多数の緩衝素材から形成される形状であり、該素材同士の直接の接触を避けることを目的とした構成が特徴である。
【発明の詳細な説明】
【技術分野】
【０００１】本発明は、ブレスレットに使用される宝石やパワーストーンを傷、衝撃から守るものである
【背景技術】
【０００２】従来、ブレスレットは保護されていなかった。
【発明の開示】
【発明が解決しようとする課題】
【０００３】従来のブレスレットは、素材と素材がぶつかり合うことに対し、何の処置も講じられてこなかった。最近ではミラーボールカットのような加工を施したブレスレットもあり、角ばっている分、傷つきやすくなっている。運搬中や購入後、すぐに欠けてしまったりすることもある。最近では硬度の低いロードクロサイトなど、希少価値の高い高価な石までもがブレスレットの素材として加工され販売されている。身体に装着していると素材同士の摩擦による傷は避けられなかった。また、この連結部分の傷を原因とする紐切れ破損も少なくない。本発明はこれらの問題を解決するためになされたものである。
【課題を解決するための手段】
【０００４】素材と素材の間にクッションになるものを入れてやる。
【発明の効果】
【０００５】素材と素材との摩擦による劣化、衝撃による破損が起こらない。
【発明を実施するための最良の形態】
【０００６】  以下、本発明の実施の形態を説明する。
（イ）  原材料に使用するものは塩化ビニールのような合成樹脂が最適であるが、比較的軟らかい金属なども宝飾的によい。
（ロ）  （イ）を素材によって外形は異なるが円にきりとる。
（ハ）  （ロ）の中心にゴム紐が通る穴をあける。
ブレスレットを組む際に素材と素材の間に（２）緩衝素材を入れていき全部の素材と素材の間に入るようにする。
【図面の簡単な説明】
【００１９】
【図１】本発明の全体図
【図２】本発明の要部拡大の正面図
【図３】本発明の拡大図
【符号の説明】
【００２０】１    緩衝素材
２    素材
３    ゴム紐
【図１】
2009261873.tif 000003
【図２】
2009261873.tif 000004
【図３】
2009261873.tif 000005
(57)【要約】      （修正有）【課題】合成樹脂や化学製品の枕が多く用いられるようになった現代、若白髪や若禿げ等も多くなったように思える、最近、日本古来のそばがらの枕が見直されつつあるが、防虫防菌のための頻繁な天日干しを要し不便さを感じる。【解決手段】柿渋は、多量のタンニンを含み、酵素の抑制、酸化抑制効果、、抗菌作用、発癌物質抑制作用、脱臭作用等の効果が実証されている。枕用そばがらの防虫防菌に日本古来、伝統と実績を残す柿渋の特性を活かし、使いやすい健康志向型枕とする。【選択図】図１
2009261879.tif 000002
【特許請求の範囲】
【請求項１】
枕の中材に柿渋で防腐、防虫処理を施した、そばがらを用いる。
【請求項２】
枕カバーに、ブラウスや、Ｔンシャツ等を用いるものである。
【発明の詳細な説明】
【発明の詳細な説明】
【産業上の利用分野】
【０００１】この発明は、病院の入院患者や老人ホーム、一般家庭用等の健康衛生志向型枕として用いられる。
【背景技術】
【０００２】従来、枕の中材に用いるそばがらの殺菌、消毒は、天日干し程度であり，その他の方法については明記がない。
【発明が解決しようとする課題】
【０００３】天日干し程度の殺菌、消毒では完全とは言えず、そのため頻繁な天日干しが必要で、病院や老人ホーム等では使用され難い、今後、いかにして殺菌消毒効果を高め、使用管理の簡素化を図るかが顧客サービスに向けての大きな課題である。
【課題を解決するための手段】
【０００４】課題を解決するため、枕の中材に用いるそばがらを、柿渋に浸し乾燥させたものを用いることで、殺菌消毒効果を高める。
【０００５】    ［作用］
古来より、木材や漁網等の防腐、補強に用いられてきた柿渋は、多量▲ノ▼タンニンを含み、酵素の抑制、酸化抑制効果、、抗菌作用、発癌物質抑制作用、脱臭作用等の効果が実証されている、さらに、枕カバーに近親者の香りの残るブラウスやＴシャツ等を利用することで、孤独がちな入院患者や、老人ホームの人達等に精神的な安らぎと、安眠をもたらす作用をなす。
【実施例】
【０００６】以下、本発明、安眠枕の実施例を説明する。約５年熟成した柿渋の原液を約３倍に薄めた液に、厳選したそばがらを浸し充分浸透させ、脱水乾燥したものを枕の中材に用いる。
また、出来上がった枕を、カバーに用いる半袖のブラウスやＴシャツの肩のところまで横にして入れ、よく包み込んで要所を安全ピンでとめる。
【発明の効果】
【０００７】  本発明は、天然素材の特性を生かした、安心、安全、使いやすい枕として一般家庭や病  院の入院患者、老人ホームの人たち等、用いる人に精神的やすらぎと安眠をもたらし、  健康回復に効果がある。
【図面の簡単な説明】
【図１】  本発明、請求項２の、カバーに用いるＴシャツに枕を入れてよく包み、要所を安全ピンでとめた裏面見下ろし図である。
【図２】  本発明、請求項２の、カバーに用いるＴシャツに枕を入れてよく包み、要所を安全ピンでとめた表面見下ろし図である
【符号の説明】
１．枕カバーに用いるＴシャツ
２．要所をとめた安全ピン
３．完成した安眠枕の表面
【図１】
2009261879.tif 000003
【図２】
2009261879.tif 000004
(57)【要約】【課題】塵又は埃の粒子が積もるとすぐにカーペット又は床板から集める集塵装置を提供する。【解決手段】受口を備える集塵器、マットレスカバーを備える集塵マットレス、マットレス作用面、及び排塵器を含み、前記受口はダストパイプを介して排塵器につながり、マットレス作用面が排塵器につながる複数個の小孔をもって形成され、複数個の補強用肋材がマットレスカバーとマットレス作用面の間に配置され、及び空きスペースが補強用肋材の間に形成され、前記補強用肋材が凹型をしており、及び中空レイズドリングが集塵マットレスの外側縁部に沿って形成される、集塵装置。【選択図】図１
2009261888.tif 000002
【特許請求の範囲】
【請求項１】
受口（１０）を備える集塵器（１）、マットレスカバー（３）を備える集塵マットレス（２）、マットレス作用面（４）、及び排塵器（６）を含み、前記受口（１０）がダストパイプ（５）を介して前記排塵器（６）につながり、前記マットレス作用面（４）が前記排塵器（６）につながる複数個の小孔（９）をもって形成される集塵装置。
【請求項２】
複数個の補強用肋材（７）が前記マットレスカバー（３）と前記マットレス作用面（４）の間に配置され、空きスペースが前記補強用肋材（７）の間に形成される請求項１に記載の装置。
【請求項３】
前記補強用肋材（７）が凹型である請求項２に記載の装置。
【請求項４】
レイズドリング（８）が前記集塵マットレス（２）の外側縁部に沿って形成され、前記レイズドリングが中空である請求項１に記載の装置。
【発明の詳細な説明】
【技術分野】
【０００１】
本発明は自動クリーナ装置、具体的には塵又は埃収集装置に関する。
【背景技術】
【０００２】
ホテル、病院、学校、工場、空港、ショッピングセンター、及び鉄道駅のような殆どの公共の場所、並びに車、家、台所、などの殆どの私的な場所においても、人の出入りによってカーペット又は床板に塵又は埃の粒子が堆積する。
【０００３】
カーペット又は床板に残った塵又は埃は通常はブラシ及びゴミ箱を使って、又は電気掃除機を使って除去される。これらの方法は効果的であるが、以下のような欠点も持っている。
１）塵又は埃の粒子を積もった直後に除去できない。
２）清掃作業を頻繁に行わなければならず、さもなければ塵又は埃の粒子が堆積し周囲の美観にマイナスに影響する。
３）同じ繰り返しの清掃業務を周期的に行うには清掃スタッフを使う必要がある。
【０００４】
従って、塵又は埃除去の分野においては多くの改良の機会が残っている。
【発明の開示】
【発明が解決しようとする課題】
【０００５】
それ故、上で確認された欠点を克服するために、塵又は埃の粒子が積もるとすぐにカーペット又は床板から集める集塵装置を提供することは本発明の一つの目的である。
【課題を解決するための手段】
【０００６】
上の目的を達成するために、受口を備える集塵器、マットレスカバーを備える集塵マットレス、マットレス作用面、及び排塵器、を備えた集塵装置を提供する。
【０００７】
本発明の１つの実施形態において、前記受口はダスト管を経て排塵器につながっている。
【０００８】
本発明の別の実施形態において、前記マットレス作用面は排塵器につながる複数個の小孔をもって形成される。
【０００９】
本発明の別の実施形態において、複数個の補強用肋材がマットレスカバーとマットレス作用面の間に配置され、空きスペースが補強用肋材の間に形成される。
【００１０】
本発明の別の実施形態において、前記補強用肋材は凹型をしている。
【００１１】
本発明のさらに別の実施形態において、集塵マットレスの外側縁部に沿ってレイズドリングが形成され、該レイズドリングは中空である。
【発明の効果】
【００１２】
その結果、既存の技術に比較して、本発明の集塵装置は以下の利点を提供する。
【００１３】
１）カーペット又は床板に残った塵又は粒子を、積もった後直ちに掃除でき、それゆえ繰り返しの清掃作業を避けることができ、人手及び物的資源が節約される。
【００１４】
２）カーペット又は床板の滑り止め性能が改良される。
【００１５】
３）前記装置の構造はシンプル及びコンパクトであり、組み立てやすく操作しやすい。
【００１６】
４）取得及び操作コストが低い。
【発明を実施するための最良の形態】
【００１７】
理解を容易にするために、添付図面を参照して以下本発明をさらに説明する。
【００１８】
図１を参照すると、本発明の集塵装置は、受口１０を備える集塵器１、マットレスカバー３を備える集塵マットレス２、マットレス作用面４、及び排塵器６を含む。受口１０はダスト管５を介して排塵器６につながっている。マットレス作用面４は、排塵器６につながっている複数個の小孔９をもって形成されている。受口は標準受口として形成され、種々のパイプへの結合に適している。マットレス作用面４は、良好な滑り止め性能を提供するために不規則に隆起した形状に設計されている。
【００１９】
図２に示されるように、複数個の小孔９はマットレス作用面４の表面に形成される。人がマットレス作用面上を通り、踏みつけるとき、マットレス作用面４は重さによって撓み、塵又は埃の粒子が小孔を通り下に落ちるようになる。複数個の補強用肋材はマットレスカバー３とマットレス作用面４の間に配置され、ある量の空きスペースが凹型補強用肋材の間に形成される。該空きスペースがあることによって、塵又は粒子が空きスペースに落ち、集塵器１により集められることができ、それ故、カーペット又は床板が清潔に保たれ良好な大気環境を提供し得る。
【００２０】
さらに、レイズドリング８もまた集塵マットレス２の外側縁部に沿って形成される。該レイズドリングは芳香を蓄えるために中空リングであってよい。該レイズドリング８もまた集塵装置の滑り止め性能に寄与する。
【００２１】
本発明の集塵装置はホテル、病院、工場、学校、政府関係部署、空港、ショッピングセンター、鉄道駅、などの公共の場所、又は家、台所、車などの私的な場所において使用できる。
【００２２】
本発明は好ましい実施形態に関連して説明されたが、特には説明されていない追加、修正、代用、及び削除が、特許請求の範囲に記載されている本発明の精神及び領域から逸脱することなく行われ得ることが当業者には正しく理解されるであろう。
【図面の簡単な説明】
【００２３】
【図１】本発明の１つの実施形態による、集塵装置の断面図を示す。
【図２】図２は、本発明の１つの実施形態による、通行人の重量で変形したマットレス作用面の断面図を示す。
【図３】図３は、本発明の１つの実施形態による、マットレス作用面の平面図である。
【符号の説明】
【００２４】
１…集塵器
２…集塵マットレス
３…マットレスカバー
４…マットレス作用面
５…ダスト管
６…排塵器
７…凹型補強用肋材
８…レイズドリング
９…小孔
１0…受口
【図１】
2009261888.tif 000003
【図２】
2009261888.tif 000004
【図３】
2009261888.tif 000005
(57)【要約】      （修正有）【課題】薬剤を塗布する時人の手を借りず肩や背中などの手の届きにくい患部に塗布するため、湾曲のアーム式ハンドルの先端部に薬剤塗布容器を固定する用具を提供する。【解決手段】握り手２の上部に適当の長さの棒状のアーム１を設け、その先端にフレキシブル４を付け、その先端に半筒形取付り具３に薬剤塗布容器７をマジックテープ（登録商標）６で装着した事を特徴とする薬剤塗布用具。【選択図】図１
2009261881.tif 000002
【特許請求の範囲】
【請求項１】
握り手から適当の長さのアームの先端に半筒形取付け具を設けこの半筒形取付け具にマジックテープを介して薬剤塗布容器を取り付けたことを特徴とする薬剤塗布用具。
【発明の詳細な説明】
【技術分野】
【０００１】本発明は薬剤を塗布する時人の手を借りず肩や背中などの手の届きにくい患部に塗布する用具。
【背景技術】
【０００２】従来、薬剤を塗布する場合、直接手で塗布するか他人の手を借りて塗布していた。又アームの先端にツボ押しの付いた用具はあった。
【発明の開示】
【発明が解決しようとする課題】
【０００３】従来は次のような問題点があった。
（イ）従来はツボ押し用具はあったが薬剤塗布用具はなかった。本発明はこれらの問題点を解決するためになされたものである。
【課題を解決するための手段】
【０００４】上記問題点を解決するため本発明は握り手から適当の長さのアームの先端に半筒形取付け具を設け、この半筒形取付け具にマジックテープを介して薬剤塗布容器を取付けたことを特徴とする薬剤塗布用具である。
【発明の効果】
【０００５】１人で薬剤を肩や背中の手の届きにくい患部に塗布する事が出来大変便利な用具である。
【発明を実施するための最良の形態】
【０００６】（イ）握り手（２）の上部に棒状のアーム（１）を設けその先端にフレキシブル（４）を付け、その最先端に半筒型取付け具（３）を付け薬剤塗布容器（７）をマジックテープ（６）で装着する。
【図面の簡単な説明】
【０００７】
【図１】本発明の斜視図
【図２】本発明の分解斜視図
【符号の説明】
【０００８】１、アーム
２、握り手
３、半筒形取付け具
４、フレキシブル
５、開口部
６、マジックテープ
７、薬剤容器
８、薬剤
【図１】
2009261881.tif 000003
【図２】
2009261881.tif 000004
(57)【要約】      （修正有）【課題】従来のこたつカバーが洗濯が困難で、汚れても簡単に洗うことができなかったために、汚れが放置され、染み付いた汚れとともにハウスダスト等の弊害をも発生させることとなった。また従来のこたつカバーが分厚く、こたつを大きく覆うような設計のために、こたつ回りのスペースを大きく占有してしまうこととなる。こうした従来のこたつカバーでは改善出来ない点を解決する。【解決手段】使い捨て簡便こたつカバー１は、着脱自在のテープにより、こたつテーブル板下の枠にとりつけ、外しが簡単に可能となる。また、こたつ各辺にそれぞれ取り付けるピース式のこたつカバーなので、汚れたら汚れたピースのみを都度取り外し、新しいピース式カバーを取り付けることが出来る。こどもにも出来る簡単な作業でもある。【選択図】図１
2009261856.tif 000002
【特許請求の範囲】
【請求項１】
使い捨て簡便こたつカバー、座布団セット
【発明の詳細な説明】
【技術分野】
【０００１】  本考案は、使い捨てのこたつカバーと座布団のセットである。こたつカバーは、こたつテーブル板下の枠外回り各辺に着脱自在のテープで簡便に取り付けるピース式のカバーであり、汚れたりしたら、汚れた部分だけ簡便に取り外し、新しいピース式カバーを取り付けることを可能とする。こたつカバーと同じ素材で作った座布団を組み合わせたセットとする。
【背景技術】
【０００２】  従来のこたつカバー、座布団のセットでは、中綿を含んだ大きなこたつふとんをこたつのテーブル板の下に敷くものである。そのため、汚れたりしても簡単に洗うことが出来なかったり、汚れが布団の中綿内にしみ込んでしまうなど衛生的には優れた物であるとは言えず、また、分厚い中綿のこたつカバーを長年使用することにより、ホームダストが多量発生するため、喘息やアレルギー症の人々にとって使い勝手のよいものであるとは到底言えない。また分厚く大きなこたつカバーは、こたつを置く部屋の多くのスペースを占有してしまい、部屋を狭く重苦しく感じさせるものでもあった。
本考案では、こうした従来のこたつカバー、座布団セットの難点から、使い捨てのピース式こたつカバーをこたつテーブル板下の枠外回り各辺にそれぞれ着脱自在のテープで簡便に取り付けるとことした。これによって、汚れたらすぐに汚れた部分のピースのみを簡便に外し、新しいカバーのピースを取り付けることが出来て大変衛生的である。中綿を使用しないピース式カバーなので、ホームダストを従来のこたつカバーのように多量に発生させることなく、喘息やアレルギー症の人々にも使い勝手がとてもよいものになる。ピース式のカバー自体のの縦辺は、こたつの高さに合わせた長さを持つので、特にこたつ回りのスペースを余計に占有することもなく、余ったスペースを有効に使うことができる。見た目も中綿を使用していないので、とても軽やかである。また、もちろん、従来のこたつカバーと同様、ピース式のこたつカバーをこたつ各辺に着脱自在のテープで取り付けることにより、こたつ内の温かい空気を外に逃がさない機能もしっかりと持っている。簡便な着脱自在のテープを使うことで、こどもにも簡単にこの動作を行うことを可能にする。また、ピース式のこたつカバーと座布団を含んだセットとするため、使用時のデザインの統一感も得ることが出来る。
【発明の開示】
【発明が解決しようとす課題】
【０００３】  従来のこたつカバー、座布団のセットでは、こたつカバーに中綿を使用していることにより、汚れてしまったら、中綿までに汚れが染み付き、洗うことが困難なため、それを長年放置しておく結果となり、衛生面では疑わしい物である。また、中綿やそこに染み付いた汚れなどからホームダストが多量に発生し、喘息やアレルギー症の人々には使い勝手がよい物ではない。また中綿を使用した分厚く重苦しいこたつカバーはこたつ回りのスペースを大きく占有し、結果として部屋を狭く使用する他なく、見た目にも重苦しいものであった。
本考案の使い捨て簡便こたつカバー、座布団セットでは、ピース式のこたつカバーを着脱自在なテープで簡便にこたつ各辺の枠に取り付けることにより、汚れたりしたらすぐに取り外し、新しいピースを貼付けることが出来、非常に衛生的である。ピース式のこたつカバーを都度取り外し、新たに取り付けることがいつでも可能なので、汚れを長年放置することがなくなる。従来のこたつカバーのように長年の汚れが染み付いたカバー、中綿から発生する不潔なハウスダストも出さないため非常に清潔である。また、ピース式のこたつカバーの縦辺は、こたつ自体の高さと同じ長さをを持つため、こたつ内の温かな空気を外に逃すことなく、従来のこたつカバー同様、温かさの保持には非常に優れていると同時に、こたつ回りのスペースを分厚く重苦しいこたつカバーが占有することがないので、部屋を大きく使用出来、また見た目にも軽やかである。
【課題を解決するための手段】
【０００４】  本考案は使い捨てのピース式こたつカバーをこたつの各辺に着脱自在のテープで取り付け、外しをすることにより、汚れたらすぐに取り替えて常にカバーを清潔に保ち、長年の汚れなどが原因のホームダストを発生させず、カバーがこたつ回りのスペースを大きく占めることがないので、部屋を広く使うことが出来、見た目にも軽やかになる。座布団とセットなので、見た目の統一感を得ることが出来る。
【発明の効果】
【０００５】  使い捨てのピース式こたつカバーをこたつに簡便に取り付け外しすることで、こたつカバーをいつでも清潔に保ち、ホームダスト等の発生を抑え、こたつ回りに分厚いこたつカバーが広がることがないため、部屋を広く有効に使うことが出来る。使い捨てのピースは簡単に着脱自在テープで取り外し、付けが可能なので、汚れを放置することなく、こどもでも簡単にこの行動を行うことができる。
【発明の実施するための最良の形態】
【０００６】  以下、本発明の実施の形態を図に基づいて説明する。
【０００７】  こたつテーブル下の枠に着脱自在のテープで使い捨てのピース式こたつカバーをこたつ各辺に取り付ける。汚れたら汚れたピースのみを取り外し、新しいピースを取り付けることが可能である。座布団をセットに含み、カバーとのデザインの統一感を図る。
【図面の簡単な説明】
【０００８】
【図１】本発明の実施形態を示す使い捨て簡便こたつカバー、座布団セットの全体図
【符号の説明】
【０００９】［図１］１  本考案の使い捨て簡便こたつカバー
［図１］２  本考案の使い捨て簡便こたつカバーとセットの座布団
［図１］３  本考案使い捨て簡便こたつカバーを取り付け外しするための着脱自在テープ
【図１】
2009261856.tif 000003
【手続補正書】
【提出日】平成20年9月11日(2008.9.11)
【手続補正２】
【補正対象書類名】特許請求の範囲
【補正対象項目名】全文
【補正方法】変更
【補正の内容】
【特許請求の範囲】
【請求項１】
ピース式の使い捨てこたつカバーである。このピース式こたつカバーは、こたつテーブル板下の枠回り各辺に簡便に取り付けるピース式のカバーで、汚れたピースだけを都度取り外し、新たに清潔なピース式カバーを取り付けるものである。
(57)【要約】【課題】  従来、洗濯用ハンガーのみを用い、多量の洗濯物を物干し竿に並べて乾燥させる場合、洗濯物が同一の高さに並び、通気性が損なわれ、乾燥するまでに多くの時間を要した。このために、洗濯物の高さを変えてつるすことができるように、洗濯物をつるすためのハンガーを提供する。【解決手段】  フックの本体（１）の内部の空洞に、ぜんまい（３）により自動的に巻き上げる糸巻き（２）を備え、端にリング（６）を付けた紐（４）をその糸巻き（２）に連結した、洗濯用ハンガーをつるすためのハンガーであることを特徴とする。【選択図】図１
2009261854.tif 000002
【特許請求の範囲】
【請求項１】
ぜんまい（３）により自動的に巻き上げる糸巻き（２）を内部の空洞に備えたフックの本体（１）と、その糸巻き（２）に連結し端にリング（６）を装着した紐（４）からなる、洗濯用ハンガーのハンガー
【発明の詳細な説明】
【技術分野】
【０００１】  この発明は、フックの内部に、ぜんまいにより自動的に巻き上げる糸巻きを備え、端にリングを付けた紐をその糸巻きに連結した、洗濯用ハンガーをつるすためのハンガーに関するものである。
【背景技術】
【０００２】  従来、洗濯用ハンガーを用い洗濯物を物干し竿に並べて乾燥させる場合、洗濯物をかけたハンガーを直接物干し竿につるすので、洗濯物が同一の高さに並べられた。
【発明の開示】
【発明が解決しようとしている課題】
【０００３】  これには、次のような欠点があった。
アパートのベランダなど限られたスペースで多量の洗濯物を乾燥させる場合、濡れた衣類同士が密集した状態となる。このため衣類の生地と生地の間隔が狭まり、通気性を損なうことで、乾燥するまでにより多くの時間を要することとなる。さらに、同居人が多く、より多くの洗濯物がある場合などは洗濯物がより一層密集する傾向にある。このような、状態を解決するのに有効な方法を以下に説明する。Ａ，洗濯物をかけたハンガーを直接物干し竿につるす。Ｂ，物干し竿に結び付けた５０センチメートルほどの紐の他端を、洗濯物をかけたハンガーに結びそれをつるす。物干し竿に、ＡとＢを交互に繰り返すことで、同じ高さに洗濯物が並ばないようする。この方法により、洗濯物同士の間の通気性を確保することができる。しかし、この方法では紐の装着と撤収に、より多くの労力と時間を費やすこととなり、不便である。
本発明は、以上のような欠点を軽減するための道具である。
【課題を解決するための手段】
【０００４】  フックの本体（１）の内部に、ぜんまい（３）により自動的に巻き上げる糸巻き（２）を備え、端にリング（６）を付けた紐（４）を連結する。
本発明は、以上の構成からなる洗濯用ハンガーのハンガーである。
【発明の効果】
【０００５】  Ａ，洗濯物をかけたハンガーを直接物干し竿につるす。Ｃ，洗濯物をかけたハンガーを「洗濯用ハンガーのハンガー」を介して物干し竿につるす。この場合、引き出された紐により、物干し竿から下方に下がった位置に洗濯物がとどまる状態となる。ＡとＣを交互に繰り返すことで、同じ高さに洗濯物が並ばないようする。この方法により、洗濯物同士の間隔が大きくなり、通気性を確保することができる。「洗濯用ハンガーのハンガー」を利用する場合、まず、「洗濯用ハンガーのハンガー」のフックの部分を物干し竿にかけ、次に「洗濯用ハンガーのハンガー」のリングに、洗濯物をかけたハンガーをかければよい。衣類とハンガーの重みで自動的に糸巻きから紐が引き出され、伸びきった状態で止まる。洗濯物を取り込むときには、洗濯物をかけたハンガーを「洗濯用ハンガーのハンガー」から取り外せば、フック内のぜんまいの力で紐が自動的に巻き上げられる。そして、最後に物干し竿から「洗濯用ハンガーのハンガー」を取り外せば撤収が完了する。この方法であれば少ない労力で、洗濯物の間の通気性を確保することができる。
【発明を実施するための最良の形態】
【０００６】  以下、本発明を実施するための最良の形態について説明する。
フックの本体（１）の内部の空洞に糸巻き（２）を装着する。その糸巻きの内部にぜんまい（３）を入れ、外側の一端を糸巻きに、内側の一端をフックの本体の中央（７）に固定する。さらに糸巻き（２）と連結した紐（４）をその糸巻き自身に巻きつけ、紐（４）の他端をフック本体下側の穴（５）から出し、リング（６）と連結する。
本発明は以上のような構造である。
「洗濯用ハンガーのハンガー」のフック本体（１）を物干し竿にかけた状態で、下のリング（６）に洗濯物をかけたハンガーのフックをかければよい。
【図面の簡単な説明】
【０００７】
【図１】本発明の斜視図（紐を一部省略している）である
【図２】本発明の正面図（紐を一部省略している）である
【図３】本発明の右側面図（紐を一部省略している）である
【図４】図３のａ線の断面図（紐を省略している）である
【図５】本発明の底面図（紐を省略している）である
【図６】本発明の平面図（紐を省略している）である
【図７】本発明の正面図（紐を巻き取った場合）である
【図８】本発明の使い方の図である。点線は物干し竿と洗濯物と洗濯用ハンガーを表し実線が本発明である。
【図９】本発明を用い多くの洗濯物を物干し竿にならべたときの図である。太い点線が本発明を用いない場合の洗濯物の位置である。細い点線が本発明の紐のかくれた部分である。
【符号の説明】
【０００８】１  フックの本体
２  糸巻き
３  ぜんまい
４  紐
５  フック本体下側の穴
６  リング
７  フックの本体の中央
【図１】
2009261854.tif 000003
【図２】
2009261854.tif 000004
【図３】
2009261854.tif 000005
【図４】
2009261854.tif 000006
【図５】
2009261854.tif 000007
【図６】
2009261854.tif 000008
【図７】
2009261854.tif 000009
【図８】
2009261854.tif 000010
【図９】
2009261854.tif 000011
(57)【要約】【課題】  従来は皿にあけたり、入っているパックをそのまま使おうとするとかき混ぜづらくて大変だった、又納豆を箸で混ぜるのが大変だったことを解消する調理器具を提供する。【解決手段】  容器（１）にハンドルレバー付き（３）回転軸（２）に、２種類の取り換え可能な羽付きタイプと刃付き用タイプをセットした手動方式により納豆を引き割りにしたり、混ぜたりすることを特徴とする。【選択図】図１
2009261859.tif 000002
【特許請求の範囲】
【請求項１】
容器（１）にハンドルレバー付き回転軸（２）（３）に、２種類の取り換え可能な羽付き用タイプと刃付き用タイプを取り付けてセットした手動方式により納豆を引き割りにしたり、混ぜたりする調理器具。
【発明の詳細な説明】
【技術分野】
【０００１】この発明は、容器にハンドルレバー付き回転軸に、２種類の取り換え可能な羽付き用タイプと刃付用タイプを取り付けてセットした手動方式により納豆を引き割りにしたり、混ぜたりする調理器具に関するものである。
【背景技術】
【０００２】従来は皿にあけたり、入っているパックをそのまま使おうとするとかき混ぜづらくて大変だった。
納豆を箸で混ぜるのが大変であった。納豆を混ぜる器具がなかった。
【発明の開示】
【発明が解決しようとする課題】
【０００３】これは次のような欠点があった。
従来は、皿にあけたり、入っているパックをそのまま使おうとすると、小さかったり浅かったりしてかき混ぜづらくて、きわめて煩わしかった。
本発明は、以上のような欠点をなくすためになされたものである。
【課題を解決するための手段】
【０００４】容器（１）にハンドルレバー付き回転軸（２）（３）に、２種類の取り換え可能な羽付き用タイプと刃付き用タイプをセットした手動方式により納豆を引き割りにしたり、混ぜたりする。
本発明は以上の構成によりなる手動方式により、納豆を引き割りにしたり、混ぜたりする調理器具。
【発明の効果】
【０００５】この容器で混ぜることにより、納豆が引き割りになって食べやすくなったり、薬味と混ざりやすくなり、美味しくなり、旨味も出て健康効果が上がる。尚、混ぜることが楽で子供でも自分で混ぜることができ、家族がみんなで混ぜる作業をゲーム感覚でしてくれる。混ぜた後は付加価値として容器を茶碗代わりに使うことも出来て色々と楽しさが生まれる。大小の大きさを作ることにより、薬味や、ご飯を入れられる様にも出来て納豆を２、３パック一度に混ぜられる。混ぜる感覚も楽しく、家族の会話もはずんで家族団らんになる。よって納豆を食べる機会が増えて良い事だ。
【発明を実施するための最良の形態】
【０００６】以下、本発明を実施するための最良の形態について説明する。
容器（１）にハンドルレバー付き回転軸（２）（３）に２種類の取り換え可能な羽付き用タイプと刃付き用タイプをセットする。
本発明は、以上のような構造で、これを使用する時は、手動方式により納豆を引き割りにしたり混ぜたりする。
【図面の簡単な説明】
【図１】  本発明の分解図である。
【図２】  本発明の完成図である。
【符号の説明】
【０００８】  １  容器
２  回転軸
３  ハンドルレバー
４  羽付きタイプ用
５  刃付きタイプ用
【図１】
2009261859.tif 000003
【図２】
2009261859.tif 000004
(57)【要約】【課題】  羽子板の絵柄を、基板本体に写真を貼ることであらわした、写真を絵柄にした羽子板を提供する。【解決手段】  羽子板の基板の表面に、接着シールで写真を貼るスペースを設け、そこに気に入った写真を接着シールと同じ形にして貼りつけ、その上から写真を保護する保護フィルムを貼ったことを特徴とする写真を絵柄にした羽子板。【選択図】図１
2009261852.tif 000002
【特許請求の範囲】
【請求項１】
羽子板の基板の表面に、接着シールで写真を貼るスペースを設け、そこに気に入った写真を接着シールと同じ形にして貼りつけ、その上から写真を保護する保護フィルムを貼ったことを特徴とする写真を絵柄にした羽子板。
【発明の詳細な説明】
【技術分野】
【０００１】  本発明は、羽子板の絵柄を、基板本体に写真を貼ることであらわした、写真を絵柄にした羽子板に関するものである。
【背景技術】
【０００２】  従来の羽子板には、押絵羽子板に代表されるように観賞用の豪華なものと、玩具として遊ぶための簡素な羽子板とがある。
【発明の開示】
【発明が解決しようとする課題】
【０００３】  そのために、次のような問題点があった。
（イ）観賞用の豪華なものは、５０〜７０もの材料を組み合わせて立体的に作られているので、実際に遊ぶことはできない。又、高額な商品のため、購入する層が限られていた。
（ロ）簡素な羽子板は、遊ぶ目的で作られているため、簡単な絵柄の量産で、一枚一枚に個性がなく、鑑賞用には不向きである。又、簡素過ぎて面白みがなく購買意欲がわかなかった。
本発明は以上の問題点を解決しようとするものである。
【課題を解決するための手段】
【０００４】  羽子板の基板の表面に、接着シールで写真を貼るスペースを設ける。そこに気に入った写真を接着シールと同じ形にして貼りつけ、その上から写真を保護する保護フィルムを貼る。以上を特徴とする写真を絵柄にした羽子板である。
【発明の効果】
【０００５】  本発明は、羽子板に気に入った写真を貼ることで、世界で一枚しかない絵柄の羽子板となる。したがって観賞用として飾ることもできるし、実際に玩具として遊ぶこともできる。
又、高いコストがかからない商品なので、幅広い層に購入してもらえる価格設定ができる。その結果、下火となった正月の風物詩、羽根突きを次世代にも伝承させていくことができる。
【発明を実施するための最良の形態】
【０００６】以下、本発明の実施の形態を説明する。
（イ）木材でできた基板（１）の表面に、写真（２）と同じ形の粘着シール（４）を貼り付ける。
（ロ）粘着シール（４）の剥離紙を剥がし、写真（２）を粘着シール（４）の形から、ずれがないように貼り付ける。
（ハ）写真（２）のプリント面を保護するための、シールになっている透明の保護フィルム（４）の剥離紙を剥がし、写真（２）の上から写真（２）がちょうど真ん中になるように貼る。保護フィルム（４）の大きさは写真（２）より一回り大きいサイズである。
【実施例１】
【０００７】また基板（１）の大きさは、大きいサイズから小さいサイズまであり、一つのサイズに限ったものではない。
【実施例２】
【０００８】また基板（１）の形は、一種類に限ったものではない。
【実施例３】
【０００９】また基板（１）の表面にはる粘着シール（４）と、同じ形の写真（２）の形は一つの形に限ったものではなく、羽子板本体（１）の表面のサイズに可能な分だけある。
【実施例４】
【００１０】また基板（１）の表面にはる粘着シール（４）と、同じ形の写真（２）の枚数は一枚に限ったものではなく、基板（１）のサイズ的に可能な枚数だけある。
【実施例５】
【００１１】また必要に応じて基板（１）の表面に、あらかじめデザインがプリントされている。
【実施例６】
【００１２】また基板（１）の材質は、材木に限ったものではなくプラスチックでも可能である。
本発明は以上の構成からなるものので、本発明を使用するときは、基板裏面（７）を上にして、持ち手（５）を握り、羽根を相手に向けて打ちあう。インテリアとする場合は、飾りたい場所に写真（２）をみせるように静かに置く。
【図面の簡単な説明】
【００１３】
【図１】本発明の斜視図
【図２】本発明の分解斜視図
【図３】実施例１の斜視図
【図４】実施例２の斜視図
【図５】実施例３の斜視図
【図６】実施例４の斜視図
【図７】実施例５の斜視図
【図８】実施例６の斜視図
【符号の説明】
【００１４】１  基板
２  写真
３  保護フィルム
４  基板表面
５  持ち手
６  基板裏面
７  接着シール
【図１】
2009261852.tif 000003
【図２】
2009261852.tif 000004
【図３】
2009261852.tif 000005
【図４】
2009261852.tif 000006
【図５】
2009261852.tif 000007
【図６】
2009261852.tif 000008
【図７】
2009261852.tif 000009
【図８】
2009261852.tif 000010
(57)【要約】【課題】地盤情報と予定建築物の基礎データを入力するだけで、構造計算書と基礎の最終図面まで出力できる基礎・地盤補強設計プログラムを提供する。【解決手段】基礎データを入力するステップと、直接基礎の成立性を判定するステップと、直接基礎が成立すると判定した場合に、布基礎あるいはべた基礎の、基礎スラブ断面計算、基礎梁の断面計算を行うステップと、計算結果を出力するステップとより構成する。あるいは、直接基礎が成立しないと判定した場合に、複数の地盤補強工法を選択して、各地盤補強工法の設計値を算出するステップと、構造計算書として計算結果を出力するステップとで構成する。【選択図】図１
2009275347.tif 000002
【特許請求の範囲】
【請求項１】
地盤定数と建物仕様データを入力するステップと、
直接基礎の成立性を判定するステップと、
直接基礎が成立すると判定した場合に、
布基礎あるいはべた基礎の、基礎スラブ断面計算、基礎梁の断面計算を行うステップと、
直接基礎が成立しないと判定した場合に、
複数の地盤補強工法のすべて、または一部を選択して、各地盤補強工法の設計値を算出するステップと、
入力データから計算結果までを構造計算書として出力するステップとより構成した、
小規模建築物の基礎・地盤補強設計プログラム。
【発明の詳細な説明】
【技術分野】
【０００１】
本発明は、小規模建築物の基礎・地盤補強設計プログラムに関するものである。
【背景技術】
【０００２】
従来から建築に関するプログラムは多数利用されているが、そのほとんどが部分的なものであり、基礎データの入力によって、基礎の最終図面まで出力できるものが見当たらなかった。
【発明の開示】
【課題を解決するための手段】
【０００３】
上記のような課題を解決するために、本発明の小規模建築物の基礎・地盤補強設計プログラムは、地盤定数と建物仕様データを入力するステップと、直接基礎の成立性を判定するステップと、直接基礎が成立すると判定した場合に、布基礎あるいはべた基礎の、基礎スラブ断面計算、基礎梁の断面計算を行うステップと、直接基礎が成立しないと判定した場合に、複数の地盤補強工法のすべて、または一部を選択して、各地盤補強工法の設計値を算出するステップと、入力データから計算結果を構造計算書として出力するステップとより構成したことを特徴としたものである。
【発明の効果】
【０００４】
本発明の小規模建築物の基礎・地盤補強設計プログラムは以上のように構成したので、地盤情報と予定建築物の基礎データを入力するだけで、基礎の最終図面と構造計算書までを短時間で出力できるという効果を達成できる。
【発明を実施するための最良の形態】
【０００５】
以下図面を参照にしながら本発明の好適な実施の形態を詳細に説明する。
【実施例】
【０００６】
＜１＞地盤のデータの入力。
建物を建築する予定の地盤の調査を行う。
地盤調査とは、例えばスウェーデン式サウンディング試験、標準貫入試験、コーン貫入試験、土質調査などである。
この地盤調査の結果の数値を、本発明のプログラムに入力する。
【０００７】
＜２＞建物データの入力。
建築する予定の建物のデータを入力する。
例えば建築面積、延床面積、階数、平面図、節点座標などである。
また、基礎に作用する荷重条件を入力する。
荷重条件とは、屋根荷重、各階の床壁荷重などである。
【０００８】
＜３＞地盤モデルの作成。
前ステップで行った地盤調査結果から、地盤の土の種類、各層の厚さ、地下水位、各層の地盤定数を決定する。
その際に、地層が整層地盤であるか、傾斜地盤であるかも検討条件となる。
土の種類とは例えば、砂、粘性土、腐植土、砂礫、盛土などに分類して指定する。
【０００９】
＜４＞直接基礎の成立性の検討。
上記の数値から、許容鉛直支持力の計算を行う。
その結果、基礎の荷重度と許容支持力を比較して、直接基礎の成立性を判定する。
また沈下量を計算する。
その結果から、基礎の沈下量と許容沈下量を比較して、直接基礎の成立性を判定する。
こうして、直接基礎が成立する場合と、成立しない場合とが算出され、以降のステップは、成立する場合と成立しない場合とに分かれる。
【００１０】
＜５＞基礎の計算。
直接基礎が成立すると判定した場合に、布基礎あるいはべた基礎の、基礎スラブ断面計算、基礎梁の断面計算を行う。
その結果、基礎スラブや基礎梁の厚さ、寸法、鉄筋量、配筋状態などが算出される。
【００１１】
＜６＞計算結果の出力。
以上の計算結果を、数値として出力し、さらに図面として出力する。
これらの書類は施主、役所への提出計算書などとしてそのまま利用することができるようなレイアウトを採用する。
出力したデータは保存しておく。
【００１２】
＜７＞地盤補強工法の設計。
直接基礎が成立しない、と判定した場合には地盤を補強するための地盤補強工法の施工が必要となる。
地盤補強工法としては、小口径杭を打設する工法、柱状に地盤を改良する工法、表層の地盤を改良する工法、あるいはＲＥＳ−Ｐ工法などを採用することができる。
小口径杭の設計には、杭の鉛直支持力、水平支持力、沈下量を計算し、必要性能を満たすための杭の直径、材質、長さ、設置間隔の計算を行う。
こうして複数の地盤補強工法を選択して、各地盤補強工法の設計値を算出する。
その後に、経済性、その他の条件の比較を行って複数の工法から、その現場での最適な地盤補強工法を選択する。
そして選択した工法の各種の数値と、図面を構造計算書として出力して作業を完了する。
したがって出力した成果物をそのまま発注者や官庁へ提出することができ、設計者としてはきわめて使い勝手のよいものということができる。
【図面の簡単な説明】
【００１３】
【図１】本発明のプログラムの概要の説明図。
【図１】
2009275347.tif 000003
(57)【要約】【課題】  本発明は、着脱可能な止め具の一端に、ポケットを内蔵した平紐を連結したポケット付きエプロン紐を提供する。【解決手段】  着脱可能な止め具（１）の一端に、ポケット（４）を内蔵した平紐（２）を連結し、平紐（２）の表側の上部の一部分に適当な長さの切り込み（３）を入れ、タオル、ハンカチ、手ぬぐい等、既製品布地などの上端部に挟着し、エプロンとしてウエストに巻き付けて、体の前で結ぶことを特徴とするエプロン用平紐。【選択図】図１
2009275334.tif 000002
【特許請求の範囲】
【請求項１】
着脱可能な止め具（１）の一端に、ポケット（４）を内蔵した平紐（２）を連結し、平紐（２）の表側の上部の一部分に適当な長さの切り込み（３）を入れ、タオル、ハンカチ、手ぬぐい等、既製品布地などの上端部に挟着し、エプロンとしてウエストに巻き付けて、体の前で結ぶことを特徴とするエプロン用平紐。
【発明の詳細な説明】
【技術分野】
【０００１】  本発明は、着脱可能な止め具の一端に、ポケットを内蔵した平紐を連結したポケット付きエプロン紐に関するものである。
【背景技術】
【０００２】  従来のエプロンの紐は、エプロンに縫い付けてあり、取り外しが出来ない。
【発明の開示】
【発明が解決しようとする課題】
【０００３】  そのために次のような問題点があった。
（イ）洗濯時、他の洗濯物に紐が絡んで、洗浄効率が落ちた。
（ロ）毎日、エプロンは使用するので、洗濯を怠ると不衛生になった。
（ハ）エプロンのポケットの中に収納してあるのを忘れ、洗濯してしまうことがあった。
本発明は、以上の問題点を解決するためになされたものである。
【課題を解決するための手段】
【０００４】  着脱可能な止め具（１）の一端に、ポケット（４）を内蔵した平紐（２）を連結し、平紐（２）の表側の上部の一部分に適当な長さの切り込み（３）を入れ、タオル、ハンカチ、手ぬぐい等、既製品布地などの上端部に挟着し、エプロンとしてウエストに巻き付けて、体の前で結ぶことができる。
以上のように構成されたエプロン用平紐。
【発明の効果】
【０００５】  着脱可能な止め具に連結したポケット内蔵平紐は、洗濯時、取り外しができるので、他の洗濯物に絡んで洗浄効果を落とすことがなく、絡まりを解く手間もかからない。
また、ポケットに収納してあるのを忘れても安全で、エプロンの洗濯が容易なので衛生的である。
【発明を実施するための最良の形態】
【０００６】  以下、本発明の実施の形態について説明する。
（イ）着脱可能な留め具（１）の一端に、平紐（２）を連結する
（ロ）平紐（２）の表側の上部の一部分に適当な長さの切り込み（３）を入れる。
（ハ）切り込み（３）の内側に、袋状にした布（ポケット）（４）を縫い付ける。
本発明は、以上のような構成で、これを使用するときは、着脱可能な止め具（１）を連結したポケット内蔵平紐（２）を２本使用し、タオル、ハンカチ、手ぬぐい等の既製品布地などの上端部に挟着し、エプロンとしてウエストに巻き付けて体の前で結ぶ。
必要に応じてポケットを出す。
ポケットも取り外しが出来るようにスナップ形式にすると、紐に挟んで、自由な位置で使用できる。
このポケットを、折りたたんで平紐（２）の表側の切り込み（３）の中に、そのまま収納してもいいし、ボタンで留めて収納しても良い。【０００７】  取り外しが出来るので、紐の色やポケットのデザイン等、従来のエプロンには出来ない感覚でコーディネートし、おしゃれを楽しめる。
【図面の簡単な説明】
【０００８】
【図１】  本発明の斜視図
【図２】  本発明の使用状態を示した説明図
【図３】  本発明の使用状態を示した説明図
【図４】  本発明の紐の中に、ポケットを内蔵したときの断面図
【符号の説明】
【０００９】  １  止め具
２  平紐
３  切り込み
４  ポケット
【図１】
2009275334.tif 000003
【図２】
2009275334.tif 000004
【図３】
2009275334.tif 000005
【図４】
2009275334.tif 000006
(57)【要約】【課題】  ヒール靴のヒール部分まで覆う状態でズボンを着用し、ヒール靴を脱ぎ室内を移動する場合、ズボンの裾が室内床面を擦ってしまいズボンを損傷すると共にズボンの装着感とズボン装着デザインを損ねてしまう。【解決手段】  フットカバーにヒール部を持つ厚底部を設ける。厚底部は例えばウレタン質の緩衝材を内包したヒール型厚底フットカバーである。【選択図】図２
2009275335.tif 000002
【特許請求の範囲】
【請求項１】
フットカバー底部を厚くした厚底部とフットカバー部を一体にしたことを特徴とする厚底フットカバー。
【請求項２】
ヒール部厚さをそれ以外の底厚より厚くした厚底部とフットカバー部を一体にしたことを特徴とする厚底フットカバー。
【請求項３】
厚底部に緩衝材を内包していることを特徴とする請求項１又は請求項２記載の厚底フットカバー。
【請求項４】
厚底部外周カバーとフットカバー部を網目製とする請求項１乃至請求項３のいずれかの厚底フットカバー。
【請求項５】
厚底部外周カバーとフットカバー部を布製とする請求項１乃至請求項３のいずれかの厚底フットカバー。
【発明の詳細な説明】
【技術分野】
【０００１】  本発明はヒール部を以外の厚さより厚くした厚底部をもつフットカバーに関するものである。
【背景技術】
【０００２】  従来のフットカバーは靴下形状であり、底部も薄い。
【発明の開示】
【発明が解決しようとする課題】
【０００３】  ズボンが靴ヒール部を覆う状態でヒール型靴を履く場合、ヒール型靴を脱ぎ室内を移動する場合ズボンの裾が床面を擦りズボンが汚れ損傷すると共に、装着時のズボンデザインが変形し良好なズボン装着感が損なわれる。【０００４】  従来、スリッパ等の屋内用上履きがあるが、質感としては重く硬い。和室の畳の上をスリッパ等で移動することは習慣として受け入れ難く、畳表面を傷つける。
【課題を解決するための手段】
【０００５】  フットカバー底部のヒール部に厚みを持たせズボンが床面に触れないようにする。【０００６】  表面素材を布或いは柔らかい樹脂材等とし、ヒール部分には軽量化とクッション性を兼ね備えた樹脂性緩衝材を内包する。
【発明の効果】
【０００７】  本発明は靴を脱ぐ必要のある室内で移動する場合に、ヒール型靴を履いた状態を再現しズボンが汚れたり損傷したりすることを防ぐことができる。【０００８】  さらに、ズボン装着時のデザインを確保できると共に装着者のズボン装着感を良好に維持することができる。【０００９】  表面素材を布或いは柔らかい樹脂材等とすることにより、本発明品の被接触物を損傷させることがない。【００１０】  ヒール部分に樹脂製緩衝材を内包することにより、軽量化とクッション性を持たせることができる。
【実施するための最良の形態】
【００１１】  本発明の一実施形態を〔図１〕、〔図２〕に示す。
ヒール型厚底部は多孔質ウレタン材でその内部にスポンジ質ウレタン材である。フットカバー部はメッシュ状布材である。
【実施形態の効果】
【００１２】  この実施形態によれば、ヒール型靴を脱ぎ室内を移動する場合ズボンの裾が床面を擦りズボンが汚れることもなくズボンを損傷せず、ヒール靴装着時のズボンデザインが変形することなく良好なズボン装着感が得られる。
【００１３】  この実施形態によれば、厚底部及びその内包物がウレタン質であることやフットカバー部が布材であることから軽量に製作が可能でバッグ等にコンパクトに収納できる。又、厚底部全体を布材にてカバーすることにより被接触物を損傷することがない。
【他の実施形態】
【００１４】  本発明によらない〔図３〕の実施形態によれば、厚底部が無いため、ヒール型靴を脱ぎ室内を移動する場合ズボンの裾が床面を擦り、ズボンが汚れると共にズボンを損傷する。又、装着時のズボンデザインが変形し良好なズボン装着感が損なわれる。
【図面の簡単な説明】
【００１５】
【図１】本発明の一実施形態を示す斜視図である。
【図２】本発明の一実施形態を示す断面図である。
【図３】本発明によらない、他の実施形態の斜視図を示す。
【符号の説明】
【００１６】  １  フットカバー部
２  ヒール型厚底部
３  樹脂製緩衝材
【図１】
2009275335.tif 000003
【図２】
2009275335.tif 000004
【図３】
2009275335.tif 000005